(57)【特許請求の範囲】
【請求項１】
対向する１対の平面部と、該平面部の両端からＶ字状に内側に折り込まれたガゼット折り込み部とを有するガゼット袋状の使い捨ておむつ用袋であって、
前記平面部の上端側はシールされ、かつ前記両端の間の中央部が切り抜かれて持ち手を形成し、
前記シールより下側でかつ前記両端を結ぶ横方向に、前記平面部及び前記ガゼット折り込み部を貫通するミシン目が形成され、前記持ち手の下側部分には前記ミシン目が形成されていないか、又は前記ミシン目のカット部分の割合が少なくなっている使い捨ておむつ用袋。
【請求項２】
前記持ち手の前記横方向の長さが５０〜７０ｍｍである請求項１記載の使い捨ておむつ用袋
【請求項３】
前記持ち手の下側部分を除く前記ミシン目において、（カット部分の長さ／ボンド部分の長さ）で表される比が１／３〜２／１である請求項１又は２記載の使い捨ておむつ用袋。
【請求項４】
請求項１〜３のいずれか記載の使い捨ておむつ用袋に、折り畳んだ複数の使い捨ておむつの面同士を重ねたおむつ積層体を収容してなる使い捨ておむつパッケージ。
【発明の詳細な説明】
【技術分野】
【０００１】
本発明は、使い捨ておむつを収容する袋、及びこの袋に使い捨ておむつを収容してなる使い捨ておむつパッケージに関する。
【背景技術】
【０００２】
一般に、紙おむつ等の使い捨ておむつは折り畳まれて面同士を重ねられておむつ積層体とされ、これを複数段に重ねて全体をポリエチレンフィルム等のガゼット袋でパッケージされて市販されている。この袋には、上部に持ち運びのための持ち手が切り抜かれると共に、おむつを取り出すための開封ミシン目が形成されている。
例えば、おむつを整理タンス等に移し替える作業を容易にするため、ミシン目を袋の縦方向に一周させた技術が提案されている（特許文献１参照）。又、おむつ積層体を圧縮してパッケージした場合、圧縮力でおむつが取出し難くなることから、ガゼット折込部に三角形状のミシン目を形成した技術が提案されている（特許文献２参照）。
【先行技術文献】
【特許文献】
【０００３】
【特許文献１】実用新案登録第3044735号公報
【特許文献２】実開平05-29525号公報
【発明の概要】
【発明が解決しようとする課題】
【０００４】
ところで、病院、介護施設等においては、カゴ車に紙おむつを載せて患者や入所者の居室に入り、患者や入所者の紙おむつを交換している。その際、使用後の紙おむつの後始末に苦労しているケースが多い。そこで、ハサミ等で紙おむつ用袋の開封口を大きく切って広げ、持ち手をカゴ車に引っ掛け、ゴミ袋がわりとして使用する場合がある。紙おむつ用袋は、比較的厚手で乳白色のフィルムからなるため、使用後の紙おむつの汚物が透けて見えにくく、処理袋として使用するに適している。しかしながら、従来の紙おむつ用袋は、包装袋を縦方向に裂くミシン目が形成されているため、開封口を大きく広げることができず、ゴミ袋として利用することが難しい。又、上述のように、ハサミ等や手で紙おむつ用袋を切って（裂いて）ゴミ袋とするのは作業が煩雑となる。
すなわち、本発明は、使い捨ておむつ用袋のミシン目の位置を調整することにより、開封口を大きくし、持ち手をフック等に掛けてゴミ袋として容易に利用することができる使い捨ておむつ用袋及び使い捨ておむつパッケージの提供を目的とする。
【課題を解決するための手段】
【０００５】
上記課題を解決するため、本発明の使い捨ておむつ用袋は、対向する１対の平面部と、該平面部の両端からＶ字状に内側に折り込まれたガゼット折り込み部とを有するガゼット袋状の使い捨ておむつ用袋であって、前記平面部の上端側はシールされ、かつ前記両端の間の中央部が切り抜かれて持ち手を形成し、前記シールより下側でかつ前記両端を結ぶ横方向に、前記平面部及び前記ガゼット折り込み部を貫通するミシン目が形成され、前記持ち手の下側部分には前記ミシン目が形成されていないか、又は前記ミシン目のカット部分の割合が少なくなっている。
このような構成とすると、以下のように作用する。まず、一方の平面部側に形成されたミシン目を破断するとともに、中央部をハサミや手で横方向に破断する。そして、持ち手を上に引き上げると、ガゼット折り込み部のうち一方の平面部側に位置する各ミシン目が破断し、一方の平面部及び両ガゼット折り込み部がシール部から分離し、使い捨ておむつパッケージ（使い捨ておむつ用袋）の上面が最大の大きさ（断面形状と同じ寸法）で開口する。一方、他の平面部はシール部と一体のままであり、その中央部ではミシン目が無く（少なく）て強度を保っているので、他の平面部側の持ち手をカゴ車のフックやドアノブ等に引っ掛け、開封口を大きく広げたゴミ袋として利用することができる。
【０００６】
前記持ち手の前記横方向の長さが５０〜７０ｍｍであることが好ましい。
前記持ち手の下側部分を除く前記ミシン目において、（カット部分の長さ／ボンド部分の長さ）で表される比が１／３〜２／１であることが好ましい。
【０００７】
本発明の使い捨ておむつパッケージは、前記使い捨ておむつ用袋に、折り畳んだ複数の使い捨ておむつの面同士を重ねたおむつ積層体を収容してなる。
【発明の効果】
【０００８】
この発明によれば、使い捨ておむつ用袋のミシン目の位置を調整することにより、開封口を大きくし、持ち手をフック等に掛けてゴミ袋として容易に利用することができる使い捨ておむつ用袋が得られる。
【図面の簡単な説明】
【０００９】
【図１】本発明の実施形態に係る使い捨ておむつ用袋の平面図である。
【図２】使い捨ておむつ用袋を広げたときの上面断面図である。
【図３】使い捨ておむつパッケージの斜視図である。
【図４】ミシン目の拡大図である。
【図５】使い捨ておむつパッケージを開封する態様を示す工程図である。
【図６】中央部の所定位置に設けた案内表示部を示す図である。
【発明を実施するための形態】
【００１０】
以下、本発明の実施形態について説明する。
図１は、本発明の実施形態に係る使い捨ておむつ用袋１０の平面図を示す。使い捨ておむつ用袋１０はポリエチレン等のプラスチックフィルム製であり、対向する１対の平面部１，３と、各平面部１，３の両端１ａ、１ｂ（３ａ、３ｂ）からＶ字状に内側に折り込まれたガゼット折り込み部２，４とを有するガゼット袋状になっている。ガゼット袋は、上面図２に示すように、筒状の袋体から４つの側面を構成し、そのうち対向する２面（ガゼット折り込み部２，４に沿相当）を中央（折り畳み頂点Ｚ）に向かって内側に引っ込むように折り畳んだ構造をなしている。使い捨ておむつ用袋１０は、例えば、ＰＥ，ＰＰ等のポリオレフィン系フィルムやその複合材から形成することができ、内容量が１〜３ｋｇ未満の場合には厚さ４０μｍ以上で引張強度８Ｎ／ｃｍ以上、内容量が、３〜５ｋｇの場合厚さ５０μｍ以上で引張り強度１２Ｎ/ｃｍ以上の材料を用いるのが好ましい。
なお、各平面部１，３の両端１ａ、１ｂ（３ａ、３ｂ）を結ぶ方向Ｌを「横方向」と称する。又、使い捨ておむつ用袋１０において、以下のシール部７が形成される側を「上端」とし、上端の反対側の開放端側を「下側」とする。
【００１１】
各平面部１，３の上端側は、横方向Ｌに平行な２箇所（具体的には上端縁近傍と、上端縁より下側の２箇所）でシールＳされ、これらシールＳの間でシール部７を形成している。又、シール部７において、両端１ａ、１ｂ（３ａ、３ｂ）の間の中央部Ｂが切り抜かれ、横方向Ｌに長い長円形の持ち手６を形成している。
一方、シールＳ（シール部７）より下側でかつ横方向Ｌに沿って、平面部１，３及びガゼット折り込み部２，４を貫通するミシン目８，９が形成されている。但し、この実施形態では、持ち手６（中央部Ｂ）の下側部分にはミシン目が形成されないため、中央部Ｂより左側の位置Ａ１に形成されるミシン目８と、中央部Ｂより右側の位置Ａ２に形成されるミシン目９との２つに分けられている。
【００１２】
なお、この実施形態では、各ミシン目８，９は、それぞれ両端１ａ、１ｂ（３ａ、３ｂ）から横方向Ｌに距離Ｙだけ離間した位置から形成されている。このようにすると、各ミシン目８，９が両端１ａ、１ｂ（３ａ、３ｂ）から形成される場合に比べ、使い捨ておむつ用袋１０に使い捨ておむつを収容した使い捨ておむつパッケージを運搬及び段ボールケースから引っ張り出す際に、両端１ａ、１ｂ（３ａ、３ｂ）からミシン目８，９が誤って破れることを防止できる。
距離Ｙは、５〜１０ｍｍ程度とするとよい。
【００１３】
図２は、使い捨ておむつ用袋１０を広げたときの上面断面図を示す。上記したように、平面部１，３の間にガゼット折り込み部２，４を折り込んだ状態で、平面部１，３及びガゼット折り込み部２，４を貫通してミシン目８，９が形成されている。従って、使い捨ておむつ用袋１０を広げると、位置Ａ１に対応して各平面部１，３にミシン目８１、８３が形成されると共に、ガゼット折り込み部２には折り畳み頂点Ｚから両端１ａ、３ａに向かう２つのミシン目８２ａ、８２ｂが形成される。同様に、位置Ａ２に対応して各平面部１，３にミシン目９１、９３が形成されると共に、ガゼット折り込み部４には折り畳み頂点Ｚから両端１ｂ、３ｂに向かう２つのミシン目９２ａ、９２ｂが形成される。
なお、図１に示すように、この実施形態では、各ミシン目８，９の端は、折り畳み頂点Ｚを越えて中央部Ｂ側へ延びている。このため、各ガゼット折り込み部２、４のミシン目は折り畳み頂点Ｚで連続している。一方、各ミシン目８，９の端を、折り畳み頂点Ｚより両端１ａ、１ｂ側に形成した場合、各ガゼット折り込み部２、４のミシン目は折り畳み頂点Ｚ近傍で形成されないことになる。これらのいずれでも良いが、後者の方がより強度が高くなる。
【００１４】
図３は、使い捨ておむつ用袋１０に、折り畳んだ複数の使い捨ておむつ５１、５２・・・の面同士を重ねたおむつ積層体５０を収容した使い捨ておむつパッケージ１００を示す。使い捨ておむつ用袋１０は広げられ、４つの側面１〜４が形成されている。又、平面部１，３からシール部７に向かってそれぞれ切妻屋根状の傾斜面１ｋ、３ｋが形成され、この傾斜面１ｋ、３ｋに各ミシン目８，９が設けられている。一方、ガゼット折り込み部２、４は、傾斜面１ｋ、３ｋに対応する位置で内側に向かって傾斜面２ｋ、４ｋ（４ｋのみ図示）を形成している。
なお、使い捨ておむつ用袋１０の下側（開放端）からおむつ積層体５０を収容した後、この下側をシールし、使い捨ておむつパッケージ１００が製造される。
【００１５】
図４は、ミシン目８，９の拡大図を示す。一般にミシン目は、スリット状に切断されたカット部分Ｃと、隣接するカット部分Ｃの間に位置して切断されないボンド部分Ｄとを繰り返して形成されている。本発明においては、持ち手６（中央部Ｂ）の下側部分を除くミシン目８，９において、（カット部分Ｃの横方向Ｌの長さ／ボンド部分Ｄの横方向Ｌの長さ）で表される比が１／３〜２／１であることが好ましい。上記比が１／３未満であると、ボンド部分Ｄが長くなり過ぎ、ミシン目８，９を破断し難くなる場合がある。一方、上記比が２／１を超えると、カット部分Ｃが長くなり過ぎ、不用意にミシン目８，９が破断する場合がある。
上記比が２／３から１／１であることがより好ましい。
又、具体例として、カット部分Ｃの横方向Ｌの長さを２ｍｍとし、ボンド部分Ｄの横方向Ｌの長さを３ｍｍとすることが例示される。
【００１６】
次に、図５を参照し、使い捨ておむつパッケージ１００を開封する態様について説明する。まず、使い捨ておむつパッケージ１００（使い捨ておむつ用袋１０）の平面部１側に形成されたミシン目８，９を破断する（図５（ａ））。具体的には、平面部１に形成されたミシン目８１，９１と、平面部１に隣接するガゼット折り込み部２、４の各ミシン目８２ａ、９２ａのみを破断する（図５（ｂ））。このとき、平面部１の両端１ａ、１ｂの角部のミシン目８，９を起点にして裂くとよい。このようにして、平面部１の中央部Ｂの両側まで裂くことができる。
次に、平面部１の中央部Ｂを、ハサミや手で横方向Ｌに破断する（図５（ｃ））。フィルムの厚さが５０〜７０μｍのポリエチレンフィルムで、引張り強度が２５Ｎ／ｃｍ程度までであれば比較的容易に手でも切り開ける。このようにして、平面部１がシール部７から分離し、使い捨ておむつパッケージ１００の平面部１側（手前側）の上面が開口する（図５（ｄ））。
【００１７】
そして、持ち手６を上に引き上げると、ガゼット折り込み部２、４の平面部３側に位置する各ミシン目８２ｂ、９２ｂが破断する（図５（ｅ））。ここで、使い捨ておむつパッケージ１００は、通常、１〜４ｋｇ程度の重量があるため、持ち手６を上に引き上げるだけで各ミシン目８２ｂ、９２ｂを容易に破断することができる。又、持ち手６を上に引き上げた際、既に図５（ｂ）で破断したミシン目８２ａ、９２ａとシール部７との接続部（＝折り畳み頂点Ｚ）に応力が集中する。このため、持ち手６の引き上げ力を過大にしない限り、平面部３のミシン目８３、９３（図５（ｆ）参照）を破断させず、各ミシン目８２ｂ、９２ｂのみを破断することができる。
このようにして、平面部１及び両ガゼット折り込み部２、４がシール部７から分離し、使い捨ておむつパッケージ１００の上面が最大の大きさ（断面形状と同じ寸法）で開口する（図５（ｆ））。一方、平面部３はシール部７と一体のままであるので、シール部７の持ち手６をカゴ車のフック２００やドアノブ等に引っ掛け、開封口を大きく広げたゴミ袋として利用することができる。そして、紙おむつ用袋を、比較的厚手で乳白色のフィルムから構成すれば、使用後の紙おむつの汚物が透けて見えにくく、処理袋として使用するに適する。
【００１８】
以上のように、平面部１（３）の両端１ａ、１ｂ（３ａ、３ｂ）から中央部Ｂに向かい、平面部１，３及びガゼット折り込み部２，４を貫通するミシン目８、９を設ける一方で、持ち手６（中央部Ｂ）の下側部分にはミシン目を設けないことで、使い捨ておむつパッケージ１００を運搬等する際には、ミシン目８，９が誤って破断しても中央部Ｂが破断せずに残り、使い捨ておむつパッケージ１００を開封する際には、中央部Ｂをハサミや手で破断すれば容易にゴミ袋として利用できる。
この点で、中央部Ｂ（持ち手６）の横方向Ｌの長さを５０〜７０ｍｍとするのが好ましい。中央部Ｂの長さが５０ｍｍ未満の場合、使い捨ておむつパッケージ１００を運搬等する際には、ミシン目８，９が誤って破断するのにつれて、中央部Ｂも破断し易くなる。一方、中央部Ｂの長さが７０ｍｍを超えると、ゴミ袋として利用する際、中央部Ｂをハサミや手で破断する長さが長くなり、作業が煩雑となる傾向にある。
【００１９】
なお、図６に示すように、使用者がハサミや手で破断する部分を容易に認識できるよう、ミシン目８，９の間の中央部Ｂの所定位置に案内表示部１３を設けるとよい。この実施形態では、案内表示部１３は、平面部１，３に「この部分はハサミ等でお切りください」という説明文と、ハサミや手で破断する部分をハサミの絵で表示した部分からなっている。
又、実施形態では、ミシン目８，９の上にも「ミシン目に沿ってあけてください」という説明文からなる第２の案内表示部１４、１５を設けている。
【００２０】
上記した実施形態では、中央部Ｂにミシン目を形成しなかったが、中央部Ｂにミシン目を形成してもよい。但し、その場合、中央部Ｂのミシン目のカット部分の割合を、ミシン目８，９のカット部分の割合より少なくする。これにより、中央部Ｂのミシン目が両端のミシン目８，９より破断し難くなるので、使い捨ておむつパッケージ１００を運搬等する際にミシン目８，９が誤って破断しても中央部Ｂが破断せずに残り易くなる。
又、中央部Ｂにミシン目を形成する場合、中央部Ｂのミシン目における（カット部分の長さ／ボンド部分の長さ）で表される比を１／３以下とし、両端のミシン目８，９の上記比を１／３より大きくするとよい。
【００２１】
本発明は上記した実施形態に限定されず、本発明の思想と範囲に含まれる様々な変形及び均等物に及ぶことはいうまでもない。
【符号の説明】
【００２２】
１、２                    平面部
３，４                    ガゼット折り込み部
６                        持ち手
７                        シール部
８，９                    ミシン目
１０                      使い捨ておむつ用袋
５０                      おむつ積層体
１００                    使い捨ておむつパッケージ
Ｂ                        平面部の中央部
Ｃ                        ミシン目のカット部分の長さ
Ｄ                        ミシン目のボンド部分の長さ
Ｌ                        平面部の両端を結ぶ横方向
【図１】
0005457294.tif 000002
【図２】
0005457294.tif 000003
【図３】
0005457294.tif 000004
【図４】
0005457294.tif 000005
【図５】
0005457294.tif 000006
【図６】
0005457294.tif 000007